(57)【要約】【課題】自動販売機本体の開口部を遮ることなく扉を開放して作業性を向上する。【解決手段】扉１Ｂの開放に際して、扉１Ｂの回動中心となる扉回動軸２２Ｆを自動販売機１の内側に配置する通常開放位置と、扉回動軸２２Ｆを自動販売機１の外側に配置する全開放位置と選択的に移動する軸位置移動手段２２を備える。そして、扉回動軸２２Ｆを通常開放位置にしたときには、扉を最小限に開放して作業を行うことができる。一方、必要に応じて扉回動軸２２Ｆを全開放位置にしたときには、扉を大きく開放して自動販売機本体１Ａの開口部１Ａａの正面から扉１Ｂを退けて作業を行うことができる。【選択図】        図１１
2005141290.tif 000002
【特許請求の範囲】
【請求項１】
自動販売機本体の開口部を閉塞する扉を開閉可能に設けた自動販売機のヒンジ装置において、
前記扉の開閉時の回動中心となる扉回動軸を有し、前記扉の開放に際して自動販売機の内側に前記扉回動軸を配置する通常開放位置と、前記自動販売機の外側に前記扉回動軸を配置して前記開口部の正面から前記扉を退ける全開放位置とに前記扉回動軸を選択的に移動する軸位置移動手段を備えたことを特徴とする自動販売機のヒンジ装置。
【請求項２】
前記軸位置移動手段は、前記扉回動軸と平行に配置した支軸を介して互いの基端を支承した第１支持部材および第２支持部材を有し、前記第１支持部材の自由端に前記扉回動軸を支持し、前記扉回動軸と平行に配置して前記自動販売機本体側に固定したヒンジ軸に前記第２支持部材の自由端を支承してなり、前記支軸を介して前記第１支持部材と前記第２支持部材との自由端を互いに近接させた形態で保持して前記通常開放位置を得る一方、前記支軸を介して前記第１支持部材と前記第２支持部材との自由端を互いに離間させた形態によって前記全開放位置を得ることを特徴とする請求項１に記載の自動販売機のヒンジ装置。
【発明の詳細な説明】
【技術分野】
【０００１】
本発明は、自動販売機の扉を開閉可能に支承する自動販売機のヒンジ装置に関するものである。
【背景技術】
【０００２】
従来、自動販売機のヒンジ装置は、自動販売機本体の開口部を閉塞する扉と、当該自動販売機本体との間に扉を開閉するヒンジ装置を備えている。このヒンジ装置は、扉の内側に扉回動軸を支持してある。一方、自動販売機本体の内側には、自動販売機本体と扉回動軸とを連結する連結ヒンジを設けてある。この連結ヒンジは、自動販売機本体の内側に取付固定される本体取付部と、扉回動軸に係合する係合部と、本体取付部と係合部との間で自動販売機の内側に向かって迂回する迂回部とを有している。このヒンジ装置は、自動販売機の内部に収容されているため、扉を自動販売機本体に対して閉鎖した状態では自動販売機の外部に露出しないので、当該ヒンジ装置を自動販売機の外側から破壊する行為に至らない（例えば、特許文献１参照）。
【０００３】
【特許文献１】特開２００２−１５０３８７号公報
【発明の開示】
【発明が解決しようとする課題】
【０００４】
従来の自動販売機のヒンジ装置では、自動販売機の内部にある扉回動軸を中心にして扉が開閉する構造にしてある。すなわち、扉を開放した状態では、扉の一部が自動販売機の内部に存在することになる。また、迂回部も自動販売機の内部に存在することになる。このため、扉を最も開放しても自動販売機の内部に存在する構成が自動販売機の開口縁部を遮るので開口部を全て開放することができない。この結果、自動販売機の開口縁部側に設けた商品収納ラックのメンテナンス時などに、自動販売機の内部に存在する構成が当該商品収納ラックを自動販売機から外す妨げになるため作業性が悪いという問題がある。
【０００５】
本発明は、上記実情に鑑みて、自動販売機本体の開口部を遮ることなく扉を開放して作業性を向上することができる自動販売機のヒンジ装置を提供することを目的とする。
【課題を解決するための手段】
【０００６】
上記の目的を達成するために、本発明の請求項１に係る自動販売機のヒンジ装置は、自動販売機本体の開口部を閉塞する扉を開閉可能に設けた自動販売機のヒンジ装置において、前記扉の開閉時の回動中心となる扉回動軸を有し、前記扉の開放に際して自動販売機の内側に前記扉回動軸を配置する通常開放位置と、前記自動販売機の外側に前記扉回動軸を配置して前記開口部の正面から前記扉を退ける全開放位置とに前記扉回動軸を選択的に移動する軸位置移動手段を備えたことを特徴とする。
【０００７】
本発明の請求項２に係る自動販売機のヒンジ装置は、上記請求項１において、前記軸位置移動手段は、前記扉回動軸と平行に配置した支軸を介して互いの基端を支承した第１支持部材および第２支持部材を有し、前記第１支持部材の自由端に前記扉回動軸を支持し、前記扉回動軸と平行に配置して前記自動販売機本体側に固定したヒンジ軸に前記第２支持部材の自由端を支承してなり、前記支軸を介して前記第１支持部材と前記第２支持部材との自由端を互いに近接させた形態で保持して前記通常開放位置を得る一方、前記支軸を介して前記第１支持部材と前記第２支持部材との自由端を互いに離間させた形態によって前記全開放位置を得ることを特徴とする。
【発明の効果】
【０００８】
本発明に係る自動販売機のヒンジ装置は、扉の開放に際して、扉回動軸を自動販売機の内側に配置する通常開放位置と、当該扉回動軸を自動販売機の外側に配置する全開放位置と選択的に移動する軸位置移動手段を備えている。この結果、扉回動軸を通常開放位置にしたときには、扉を最小限に開放して作業を行うことができる。一方、必要に応じて扉回動軸を全開放位置にしたときには、扉を大きく開放して自動販売機本体の開口部の正面から扉を退けて作業を行うことができる。このように、扉の開放状態を選択して作業性を向上することができる。
【発明を実施するための最良の形態】
【０００９】
以下に添付図面を参照して、本発明に係る自動販売機のヒンジ装置の好適な実施例を詳細に説明する。なお、この実施例によりこの発明が限定されるものではない。
【実施例】
【００１０】
図１は本発明に係るヒンジ装置を備える自動販売機の扉を開けた状態の斜視図、図２は上側ヒンジ部を示す分解斜視図、図３は下側ヒンジ部を示す分解斜視図、図４はヒンジ装置の組み立て斜視図、図５は本発明に係るヒンジ装置を示す平面図、図６は通常開放動作を示す平面図、図７は通常開放動作を示す平面図、図８は全開放動作を示す平面図、図９は全開放動作を示す平面図、図１０は全開放動作を示す平面図、図１１は全開放動作を示す平面図である。
【００１１】
図１に示すように、本発明のヒンジ装置を備えた自動販売機１は、自動販売機本体１Ａと、自動販売機本体１Ａの開口部１Ａａを閉塞する扉１Ｂとを有している。
【００１２】
自動販売機本体１Ａは、複数の比較的板厚の大きな鋼板を組み合わせることによって直方状をなしており、その前面が外部に通じた開口部１Ａａを構成してある。自動販売機本体１Ａの内部には、複数の独立した商品収容部としての収容庫２が並設してある。収容庫２は、外周を断熱材などで覆って商品を所望の温度に維持した状態で収容するためのものである。各収容庫２には、コラム状のラック３が配置してある。
【００１３】
各ラック３の上部には商品を補充するための補充口４が設けてあり、下部には前面側に向けて下降してあって商品を転動排出するシュータ５が設けてある。また、各収容庫２においてシュータ５によって区画される下方部には、熱交換器（図示せず）が配設してあり、当該熱交換器の駆動により、各ラック３に収容した商品を所望の冷却温度、あるいは加熱温度に維持することが可能である。
【００１４】
扉１Ｂは、自動販売機本体１Ａの開口部１Ａａを覆う態様で、比較的板厚の大きな鋼板によって堅牢に構成してある。扉１Ｂの内側には、硬貨の金種を識別するための硬貨処理機６、識別した硬貨を収容する硬貨回収箱７、および紙幣の金種を識別するための紙幣処理機８が設けてある。また、扉１Ｂの下側には、内外に連なり、シュータ５を介して転動排出される商品を自動販売機１の外部に払い出すための商品払出口９が設けてある。さらに、図には明示しないが、扉１Ｂの外側には、収容した商品に応じた商品見本を配置するためのディスプレイウィンドウ、購入商品を選択するための選択ボタン、硬貨を投入するための硬貨投入口、紙幣を挿入するための紙幣挿入口、貨幣の投入金額あるいは販売の可否もしくは釣り銭の有無などの各種情報を表示するための一体表示器、および識別できなかった硬貨あるいは釣り銭となる硬貨を利用者に返却するための硬貨返却口が設けてある。なお、扉１Ｂの内側には、各収容庫２の前側を覆う断熱性の内扉１０が開閉可能に設けてある。この内扉１０には、シュータ５と商品払出口９との間で、商品の通過および断熱性を備える内扉フラッパ１０ａが設けてある。
【００１５】
本発明のヒンジ装置２０は、自動販売機本体１Ａと扉１Ｂとの間に設けてあり、扉１Ｂを自動販売機本体１Ａに対して開閉可能に支持している。このヒンジ装置２０は、自動販売機１の上側に設けた上側ヒンジ部２１と、自動販売機１の下側に設けた下側ヒンジ部２２とを有している。
【００１６】
図２に示すように上側ヒンジ部２１は、第１支持部材２１Ａと、第２支持部材２１Ｂと、固定部材２１Ｃと、支軸２１Ｄと、ヒンジ軸２１Ｅと、扉回動軸２１Ｆとで構成してある。
【００１７】
第１支持部材２１Ａは、板金などからなる平板材を平面視で略Ｌ字形状に折り曲げて形成してあり、折り曲げ部分から延在する長片および短片の各端部において上下方向に連なる略円筒状の軸受部２１Ａａ，２１Ａｂを設けてある。軸受部２１Ａａ，２１Ａｂは、互いに平行に設けてある。なお、本実施例において、軸受部２１Ａａ，２１Ａｂは、第１支持部材２１Ａをなす板金の端を湾曲形成してなるが、第１支持部材２１Ａをなす板金に円筒状の別部材を溶接して固定してもよい。また、第１支持部材２１Ａの長片側には、通穴２１Ａｃが穿設してある。
【００１８】
第２支持部材２１Ｂは、板金などからなる平板材の両端部において上下方向に連なる略円筒状の軸受部２１Ｂａ，２１Ｂｂを設けてある。軸受部２１Ｂａ，２１Ｂｂは、互いに平行に設けてある。なお、本実施例において、軸受部２１Ｂａ，２１Ｂｂは、第２支持部材２１Ｂをなす板金の端を湾曲形成してなるが、第２支持部材２１Ｂをなす板金に円筒状の別部材を溶接して固定してもよい。
【００１９】
固定部材２１Ｃは、板金などからなる平板材を正面視で略Ｌ字形状に折り曲げて形成してあり、水平固定片２１Ｃａと垂直固定片２１Ｃｂとを有している。垂直固定片２１Ｃｂの正面側端部には、上下に連なる軸受部２１Ｃｃを設けてある。なお、本実施例において、軸受部２１Ｃｃは、固定部材２１Ｃをなす板金の端を湾曲形成してなるが、固定部材２１Ｃをなす板金に円筒状の別部材を溶接して固定してもよい。また、水平固定片２１Ｃａおよび垂直固定片２１Ｃｂには、取付穴２１Ｃｄが穿設してある。さらに、垂直固定片２１Ｃｂには、係止手段としての雌ネジ穴２１Ｃｅが穿設してある。
【００２０】
支軸２１Ｄは、上下方向に延在する円柱形状をなしている。この支軸２１Ｄは、第１支持部材２１Ａの長片に設けた軸受部２１Ａａに下端部２１Ｄａが挿通され、第２支持部材２１Ｂに設けた軸受部２１Ｂａに上端部２１Ｄｂが挿通される。これにより、支軸２１Ｄは、第１支持部材２１Ａの一端（基端）を支承するとともに、第２支持部材２１Ｂの一端（基端）を支承する。この結果、支軸２１Ｄを介して第１支持部材２１Ａの他端（自由端）と、第２支持部材２１Ｂの他端（自由端）とが、互いに近接する一方、互いに離間する態様でそれぞれ回動することになる。なお、図には明示しないが支軸２１Ｄの下端部２１Ｄａには、第１支持部材２１Ａの軸受部２１Ａａが抜けることがないように抜け止め構造が設けてある。
【００２１】
ヒンジ軸２１Ｅは、上下方向に延在する円柱形状をなしている。このヒンジ軸２１Ｅは、固定部材２１Ｃに設けた軸受部２１Ｃｃに下端部２１Ｅａが挿通され、第２支持部材２１Ｂに設けた軸受部２１Ｂｂに上端部２１Ｅｂが挿通される。これにより、ヒンジ軸２１Ｅは、支軸２１Ｄと平行に配置されて第２支持部材２１Ｂの他端（自由端）を支承する。この結果、ヒンジ軸２１Ｅを介して第２支持部材２１Ｂおよび第１支持部材２１Ａが回動することになる。
【００２２】
扉回動軸２１Ｆは、上下方向に延在する円柱形状をなしている。この扉回動軸２１Ｆは、第１支持部材２１Ａの短片に設けた軸受部２１Ａｂに下端部２１Ｆａが挿通される。これにより、扉回動軸２１Ｆは、支軸２１Ｄおよびヒンジ軸２１Ｅと平行に配置されて第１支持部材２１Ａの他端（自由端）に取り付けられる。また、扉回動軸２１Ｆの上端部２１Ｆｂは、第１支持部材２１Ａの他端（自由端）から上方に延在した形態になる。
【００２３】
図３に示すように下側ヒンジ部２２は、第１支持部材２２Ａと、第２支持部材２２Ｂと、固定部材２２Ｃと、支軸２２Ｄと、ヒンジ軸２２Ｅと、扉回動軸２２Ｆとで構成してある。
【００２４】
第１支持部材２２Ａは、上側ヒンジ部２１の第１支持部材２１Ａと同じく構成してあって、板金などからなる平板材を平面視で略Ｌ字形状に折り曲げて形成してあり、折り曲げ部分から延在する長片および短片の各端部において上下方向に連なる略円筒状の軸受部２２Ａａ，２２Ａｂを設けてある。軸受部２２Ａａ，２２Ａｂは、互いに平行に設けてある。なお、本実施例において、軸受部２２Ａａ，２２Ａｂは、第１支持部材２２Ａをなす板金の端を湾曲形成してなるが、第１支持部材２２Ａをなす板金に円筒状の別部材を溶接して固定してもよい。また、第１支持部材２２Ａの長片側には、通穴２２Ａｃが穿設してある。
【００２５】
第２支持部材２２Ｂは、上側ヒンジ部２１の第２支持部材２１Ｂと同じく構成してあって、板金などからなる平板材の両端部において上下方向に連なる略円筒状の軸受部２２Ｂａ，２２Ｂｂを設けてある。軸受部２２Ｂａ，２２Ｂｂは、互いに平行に設けてある。なお、本実施例において、軸受部２２Ｂａ，２２Ｂｂは、第２支持部材２２Ｂをなす板金の端を湾曲形成してなるが、第２支持部材２２Ｂをなす板金に円筒状の別部材を溶接して固定してもよい。
【００２６】
固定部材２２Ｃは、板金などからなる平板材からなる。この固定部材２２Ｃには、取付穴２２Ｃａが複数穿設してある。
【００２７】
支軸２２Ｄは、上下方向に延在する円柱形状をなしている。この支軸２２Ｄは、第１支持部材２２Ａの長片に設けた軸受部２２Ａａに下端部２２Ｄａが挿通され、第２支持部材２２Ｂに設けた軸受部２２Ｂａに上端部２２Ｄｂが挿通される。これにより、支軸２２Ｄは、第１支持部材２２Ａの一端（基端）を支承するとともに、第２支持部材２２Ｂの一端（基端）を支承する。この結果、支軸２２Ｄを介して第１支持部材２２Ａの他端（自由端）と、第２支持部材２２Ｂの他端（自由端）とが、互いに近接する一方、互いに離間する態様でそれぞれ回動することになる。
【００２８】
ヒンジ軸２２Ｅは、上下方向に延在する円柱形状をなしている。このヒンジ軸２２Ｅは、固定部材２２Ｃに対して下端部２２Ｅａが固定してあり、第２支持部材２２Ｂに設けた軸受部２２Ｂｂに上端部２２Ｅｂが挿通される。これにより、ヒンジ軸２２Ｅは、支軸２２Ｄと平行に配置されて第２支持部材２２Ｂの他端（自由端）を支承する。この結果、ヒンジ軸２２Ｅを介して第２支持部材２２Ｂおよび第１支持部材２２Ａが回動することになる。
【００２９】
扉回動軸２２Ｆは、上下方向に延在する円柱形状をなしている。この扉回動軸２２Ｆは、第１支持部材２２Ａの短片に設けた軸受部２２Ａｂに下端部２２Ｆａが挿通される。これにより、扉回動軸２２Ｆは、支軸２２Ｄおよびヒンジ軸２２Ｅと平行に配置されて第１支持部材２２Ａの他端（自由端）に取り付けられる。また、扉回動軸２２Ｆの上端部２２Ｆｂは、第１支持部材２２Ａの他端（自由端）から上方に延在した形態になる。
【００３０】
図４に示すように組み立てられた上側ヒンジ部２１および下側ヒンジ部２２は、自動販売機１側に取り付けられる。この場合、上側ヒンジ部２１は、固定部材２１Ｃの水平固定片２１Ｃａおよび垂直固定片２１Ｃｂに設けた各取付穴２１Ｃｄにボルトなど（図示せず）が挿通されて自動販売機本体１Ａの内側上部に固定される。また、下側ヒンジ部２２は、固定部材２２Ｃに設けた各取付穴２２Ｃａにボルトなど（図示せず）が挿通されて自動販売機本体１Ａの内側下部に固定される。
【００３１】
また、上記のごとく自動販売機本体１Ａに固定した上側ヒンジ部２１において、図４に示すように第１支持部材２１Ａの通穴２１Ａｃに係止手段としてのボルト２１Ｇを挿通する。このボルト２１Ｇは、固定部材２１Ｃの雌ネジ穴２１Ｃｅに螺合する。これにより、第１支持部材２１Ａの自由端と第２支持部材２１Ｂの自由端とが互いに近接した形態で保持され、扉回動軸２１Ｆが自動販売機１の内側に配置されることになる。この扉回動軸２１Ｆの上端部２１Ｆｂには、扉１Ｂが回動可能に支承される。すなわち、扉回動軸２１Ｆは、扉１Ｂの開閉時の回動中心となる。なお、係止手段は、ボルト２１Ｇおよび雌ネジ穴２１Ｃｅに限らず、第１支持部材２１Ａの自由端と第２支持部材２１Ｂの自由端とを互いに近接した形態で保持する構成であればピンやクリップなど如何なる構成であってもよい。
【００３２】
さらに、上記のごとく自動販売機本体１Ａに固定した下側ヒンジ部２２において、図４に示すように第１支持部材２２Ａの通穴２２Ａｃに係止手段としてのボルト２２Ｇを挿通する。このボルト２２Ｇは、図５に示すように自動販売機本体１Ａに設けた雌ネジ穴２２Ｇ′に螺合する。これにより、第１支持部材２２Ａの自由端と第２支持部材２２Ｂの自由端とが互いに近接した形態で保持され、扉回動軸２２Ｆが自動販売機１の内側に配置されることになる。この扉回動軸２２Ｆの上端部２２Ｆｂには、扉１Ｂが回動可能に支承される。すなわち、扉回動軸２２Ｆは、扉１Ｂの開閉時の回動中心となる。なお、係止手段は、ボルト２２Ｇおよび雌ネジ穴２２Ｇ′に限らず、第１支持部材２２Ａの自由端と第２支持部材２２Ｂの自由端とを互いに近接した形態で保持する構成であればピンやクリップなど如何なる構成であってもよい。
【００３３】
なお、上側ヒンジ部２１と下側ヒンジ部２２とにおいて、図４に示すように扉回動軸２１Ｆと扉回動軸２２Ｆとは同じ軸線Ｌ１上に配置される。また、支軸２１Ｄと支軸２２Ｄ
とは同じ軸線Ｌ２上に配置される。さらに、ヒンジ軸２１Ｅとヒンジ軸２２Ｅとは同じ軸線Ｌ３上に配置される。
【００３４】
以下、上述した構成のヒンジ装置２０による扉１Ｂの開放動作について図５〜図１１を参照して説明する。なお、図５〜図１１においては下側ヒンジ部２２のみを示してあるが、開放動作は上側ヒンジ部２１も同様である。
【００３５】
最初に、図５に示すように扉１Ｂによって自動販売機本体１Ａの開口部１Ａａを閉塞している状態では、ヒンジ装置２０が自動販売機１の内部に配置してある。すなわち、ヒンジ装置２０は、自動販売機本体１Ａの外周壁１Ａｂと、扉１Ｂの外周壁１Ｂａとによって覆われて自動販売機１の外部に露出しない。これにより、ヒンジ装置２０を自動販売機１の外側から破壊する行為に至らない。
【００３６】
次に、図６に示すように扉１Ｂを開放する。この場合、係止手段（ボルト２２Ｇおよび雌ネジ穴２２Ｇ′）によって、第１支持部材２２Ａの自由端と第２支持部材２２Ｂの自由端とを互いに近接した形態で保持してある。これにより、支軸２２Ｄ、ヒンジ軸２２Ｅおよび扉回動軸２２Ｆが自動販売機１の内部に固定された状態になり、扉１Ｂは、扉回動軸２２Ｆのみの１軸を回動中心にして開放する。また、扉１Ｂを開放する際、ヒンジ装置２０を覆う扉１Ｂの外周壁１Ｂａの端部が第１支持部材２２Ａの折り曲げ部分に入り込むので扉１Ｂの開放を妨げない。
【００３７】
なお、図には明示しないが、同様に上側ヒンジ部２１においても係止手段（ボルト２１Ｇおよび雌ネジ穴２１Ｃｅ）によって、第１支持部材２１Ａの自由端と第２支持部材２１Ｂの自由端とを互いに近接した形態で保持してある。これにより、支軸２１Ｄ、ヒンジ軸２１Ｅおよび扉回動軸２１Ｆが自動販売機１の内部に固定された状態になり、扉１Ｂは、扉回動軸２１Ｆのみの１軸を回動中心にして開放する。また、扉１Ｂを開放する際、ヒンジ装置２０を覆う扉１Ｂの外周壁１Ｂａの端部が第１支持部材２１Ａの折り曲げ部分に入り込むので扉１Ｂの開放を妨げない。
【００３８】
次に、図７に示すように扉１Ｂをさらに開放する。この場合、図６に示す形態と同様に係止手段（ボルト２２Ｇおよび雌ネジ穴２２Ｇ′）によって、第１支持部材２２Ａの自由端と第２支持部材２２Ｂの自由端とを互いに近接した形態で保持してある。これにより、扉１Ｂは、扉回動軸２２Ｆのみの１軸を回動中心にしてさらに開放する。そして、扉１Ｂの外周壁１Ｂａの端部が第１支持部材２２Ａの折り曲げ部分に入り込んで当該折り曲げ部分に当接する状態で扉１Ｂの開放が止まる。
【００３９】
なお、図には明示しないが、同様に上側ヒンジ部２１においても扉１Ｂの外周壁１Ｂａの端部が第１支持部材２１Ａの折り曲げ部分に入り込んで当該折り曲げ部分に当接する状態で扉１Ｂの開放が止まる。
【００４０】
図７に示す状態では、ヒンジ装置２０が自動販売機１の内部に配置してあり、扉回動軸２２Ｆ（２１Ｆ）が自動販売機１の内部にあって、当該ヒンジ装置２０および扉１Ｂの一部が自動販売機本体１Ａの開口部１Ａａを遮っている。すなわち、図６および図７で示す状態では、扉１Ｂの開放に際して自動販売機１の内側に扉回動軸２２Ｆ（２１Ｆ）を配置した通常開放位置としてある。そして、扉回動軸２２Ｆ（２１Ｆ）を通常開放位置として扉１Ｂを開放した形態では、主として補充口４から商品を補充する作業、あるいは硬貨回収箱７からの硬貨を回収する作業などが適宜行われる。
【００４１】
次に、図８に示すように係止手段のボルト２２Ｇを外して、第１支持部材２２Ａの自由端と第２支持部材２２Ｂの自由端との保持を解除する。これにより、図８〜図１０に示すようにヒンジ軸２２Ｅを回動中心として第２支持部材２２Ｂが回動することになる。最後に、図１１に示すように支軸２２Ｄを回動中心として第１支持部材２２Ａが回動することで、自動販売機１の外側に扉回動軸２２Ｆが移動し、図１１に一点鎖線Ｈで示すように開口部１Ａａの正面側から扉１Ｂを退けて開放できる状態になる。
【００４２】
なお、図には明示しないが、同様に上側ヒンジ部２１においても係止手段のボルト２１Ｇを外して、第１支持部材２１Ａの自由端と第２支持部材２１Ｂの自由端との保持を解除する。これにより、ヒンジ軸２１Ｅを回動中心として第２支持部材２１Ｂが回動することになる。さらに、支軸２１Ｄを回動中心として第１支持部材２１Ａが回動することで、自動販売機１の外側に扉回動軸２１Ｆが移動し、開口部１Ａａの正面側から扉１Ｂを退けて開放できる状態になる。
【００４３】
すなわち、図８〜図１１に示す状態では、扉１Ｂの開放に際して自動販売機１の外側に扉回動軸２２Ｆ（２１Ｆ）を配置した全開放位置としてある。そして、扉回動軸２２Ｆ（２１Ｆ）を全開放位置として扉１Ｂを開放した形態では、開口部１Ａａから扉１Ｂを退けて開口部１Ａａの正面側を遮る構成がなくなるので、主として内扉１０を開放して、ラック３を開口部１Ａａから引き出す作業などが適宜行われる。
【００４４】
したがって、上述した自動販売機のヒンジ装置では、扉１Ｂの開放に際して、扉回動軸２１Ｆ，２２Ｆを自動販売機１の内側に配置する通常開放位置と、当該扉回動軸２１Ｆ，２２Ｆを自動販売機１の外側に配置する全開放位置と選択的に移動する軸位置移動手段を備えている。そして、扉回動軸２１Ｆ，２２Ｆを通常開放位置にしたときには、扉１Ｂを最小限に開放（通常開放）して作業を行うことができる。一方、必要に応じて扉回動軸２１Ｆ，２２Ｆを全開放位置にしたときには、扉１Ｂを大きく開放（全開放）して自動販売機本体１Ａの開口部１Ａａの正面から扉１Ｂを退けて作業を行うことができる。
【００４５】
なお、上述した実施例では、軸位置移動手段として、扉回動軸２１Ｆ，２２Ｆを移動させるために、第１支持部材２１Ａ，２２Ａと、第２支持部材２１Ｂ，２２Ｂと、支軸２１Ｄ，２２Ｄと、ヒンジ軸２１Ｅ，２２Ｅとからなる多軸ヒンジ機構を説明したがこの限りではない。例えば、図には明示しないがスライド機構で扉回動軸２１Ｆ，２２Ｆを開口部１Ａａの正面側に移動させ、続いてヒンジ機構で扉回動軸２１Ｆ，２２Ｆを開口部１Ａａの側部に移動させて、開口部１Ａａの正面側から扉１Ｂを退けて開放できる状態にする構成などであってもよい。
【産業上の利用可能性】
【００４６】
以上のように、本発明に係る自動販売機のヒンジ装置は、自動販売機の扉の開閉に有用であり、特に、自動販売機本体の開口部を遮ることなく全開状態にして作業性を向上することに適している。
【図面の簡単な説明】
【００４７】
【図１】本発明に係るヒンジ装置を備える自動販売機の扉を開けた状態の斜視図である。
【図２】上側ヒンジ部を示す分解斜視図である。
【図３】下側ヒンジ部を示す分解斜視図である。
【図４】ヒンジ装置の組み立て斜視図である。
【図５】本発明に係るヒンジ装置を示す平面図である。
【図６】通常開放動作を示す平面図である。
【図７】通常開放動作を示す平面図である。
【図８】全開放動作を示す平面図である。
【図９】全開放動作を示す平面図である。
【図１０】全開放動作を示す平面図である。
【図１１】全開放動作を示す平面図である。
【符号の説明】
【００４８】
１    自動販売機
１Ａ    自動販売機本体
１Ａａ    開口部
１Ａｂ    外周壁
１Ｂ    扉
１Ｂａ    外周壁
２    収容庫
３    ラック
４    補充口
５    シュータ
６    硬貨処理機
７    硬貨回収箱
８    紙幣処理機
９    商品払出口
１０    内扉
１０ａ    内扉フラッパ
２０    ヒンジ装置
２１    上側ヒンジ部
２１Ａ    第１支持部材
２１Ａａ，２１Ａｂ    軸受部
２１Ａｃ    通穴
２１Ｂ    第２支持部材
２１Ｂａ，２１Ｂｂ    軸受部
２１Ｃ    固定部材
２１Ｃａ    水平固定片
２１Ｃｂ    垂直固定片
２１Ｃｃ    軸受部
２１Ｃｄ    各取付穴
２１Ｃｅ    雌ネジ穴
２１Ｄ    支軸
２１Ｄａ    下端部
２１Ｄｂ    上端部
２１Ｅ    ヒンジ軸
２１Ｅａ    下端部
２１Ｅｂ    上端部
２１Ｆ    扉回動軸
２１Ｆａ    下端部
２１Ｆｂ    上端部
２１Ｇ    ボルト
２２    下側ヒンジ部
２２Ａ    第１支持部材
２２Ａａ，２２Ａｂ    軸受部
２２Ａｃ    通穴
２２Ｂ    第２支持部材
２２Ｂａ，２２Ｂｂ    軸受部
２２Ｃ    固定部材
２２Ｃａ    取付穴
２２Ｄ    支軸
２２Ｄａ    下端部
２２Ｄｂ    上端部
２２Ｅ    ヒンジ軸
２２Ｅａ    下端部
２２Ｅｂ    上端部
２２Ｆ    扉回動軸
２２Ｆａ    下端部
２２Ｆｂ    上端部
２２Ｇ    ボルト
２２Ｇ′    雌ネジ穴
Ｌ１，Ｌ２，Ｌ３    軸線
【図１】
2005141290.tif 000003
【図２】
2005141290.tif 000004
【図３】
2005141290.tif 000005
【図４】
2005141290.tif 000006
【図５】
2005141290.tif 000007
【図６】
2005141290.tif 000008
【図７】
2005141290.tif 000009
【図８】
2005141290.tif 000010
【図９】
2005141290.tif 000011
【図１０】
2005141290.tif 000012
【図１１】
2005141290.tif 000013